(57)【要約】      （修正有）【課題】空気吸込側においてケーシングの一対の面板の周部に形成された風洞部の高さ相当の空気流入路の空間を確保し、相互に対向する空気吸込口からも十分な空気が送り込まれ高風量化を実現できる送風ファン装置及びそれを備えた電子機器を提供する。【解決手段】送風ファン装置１は、上側送風ファンユニット１ａと下側送風ファンユニット１ｂとを具備し、相互に隣接するケーシング２ａと２ｂにより挟まれた空間に空気流入路８を設け、上側送風ファンユニット１ａの空気吹出口５ａと下側送風ファンユニット１ｂの空気吹出口５ｂとが同一方向に向くように重ねられ、その空気流入路８を通過した十分な空気が送り込まれ高風量化を図った。【選択図】図１
2008053574.tif 000002
【特許請求の範囲】
【請求項１】
複数のブレードの回転によって遠心方向へ空気を送風する遠心ファンと、
前記遠心ファンの回転軸方向を挟み込むように配置されかつ空気吸込口を形成した一対の面板と、前記一対の面板の周部に前記一対の面板間に連通し前記一対の面板間の内高さよりも大きな内高さに形成した風洞部と、前記風洞部と連通し前記一対の面板で挟まれた側面に形成した空気吹出口と、を有するケーシングと、
を有する送風ファンユニットを複数具備した送風ファン装置であって、
前記送風ファンユニットを前記空気吸込口の形成された前記面板が各々対向するとともに前記空気吹出口を各々同一方向に向けて重ね、前記送風ファンユニットの相互に隣接するケーシング間に前記面板と前記風洞部とで囲まれた空気流入路を設けることを特徴とする送風ファン装置。
【請求項２】
前記送風ファンユニットの風洞部の外壁面は、その風洞部の頂部から前記空気吸込口に向けて所定の傾斜角度で形成された傾斜面を有することを特徴とする請求項１記載の送風ファン装置。
【請求項３】
前記送風ファンユニットの遠心ファンは、一方に寄せられて配置され、その寄せられた方向と反対の方向に位置するように前記一対の面板の周部に前記風洞部を形成することを特徴とする請求項１記載の送風ファン装置。
【請求項４】
一方の送風ファンユニットの前記空気流入路を囲む風洞部は、その頂部が隣接する他方の送風ファンユニットのケーシングの面板に対向し、その風洞部と連通する前記空気吹出口に近づくにつれてその頂部の高さが段階的に大きくなるような複数の段差面を有することを特徴とする請求項１記載の送風ファン装置。
【請求項５】
相互に隣接する前記送風ファンユニットの各々の遠心ファンは、相互に逆方向に回転するように駆動されることを特徴とする請求項１記載の送風ファン装置。
【請求項６】
相互に隣接する送風ファンユニットにおいて、相互に対向する前記面板に形成された各々の空気吸込口に前記遠心ファンを回転駆動するモータ駆動部を各々配置し、各々の前記モータ駆動部に接続されたリード線を前記空気流入路に導入することを特徴とする請求項１記載の送風ファン装置。
【請求項７】
請求項１から６いずれか１項に記載の送風ファン装置を具備し、その送風ファン装置を用いて放熱体の放熱を行うことを特徴とする電子機器。
【発明の詳細な説明】
【技術分野】
【０００１】
本発明は、電子機器の筐体内部に実装された超小型演算処理装置（以下、ＭＰＵと称する）などの発熱体の冷却に用いる送風ファン装置で、受熱体から放熱体までの熱輸送をヒートパイプや液体冷媒の循環などの方式により効率的に行った後、その放熱体を強制的に放熱する送風ファン装置及びそれを備えた電子機器に関するものである。
【背景技術】
【０００２】
最近のコンピュータにおけるデータ処理の高速化の動きはきわめて急速であり、ＭＰＵのクロック周波数は、以前と比較して格段に高いものになってきている。
【０００３】
その結果、ＭＰＵの発熱量が増大し、従来のように放熱フィンを有するヒートシンクなどの発熱体に接触させて放熱する方法だけなく、そのヒートシンクを送風ファンで直接冷却する方法、あるいは受熱体と放熱体とをヒートパイプを用いて熱接続したヒートシンクモジュールを構成して、その放熱体を送風ファンの送風で強制冷却する方法や、さらには、熱伝導性の高い液体冷媒をポンプによって強制循環させ受熱部と放熱部との間で熱輸送された放熱体を送風ファン装置により強制的に送風して放熱することが必要不可欠となっており、今後さらにその冷却性能の向上と併せて小型化・薄型化が必要とされている。
【０００４】
一方、送風ファン装置の冷却性能の向上は、その高風量化、高静圧化などの送風性能の向上に大きく依存し、加えて空気吹出口で広範囲に均等に吹き出すことによっても、例えばその空気吹出口に設置された放熱フィンと効率的に熱交換が行われるので、大きく改善することが可能となっている。
【０００５】
図１１（ａ）は従来の技術における送風ファン装置が具備する送風ファンの単体の斜視図、図１１（ｂ）は従来の技術における送風ファン装置の全体の斜視図である。
【０００６】
図１１（ｂ）で示した従来の送風ファン装置５０は、図１１（ａ）で示した送風ファン５１と同一形状のものを２個準備し上下方向に重ねられて構成されている。
【０００７】
ここで、送風ファン５１の単体は、アルミニウム合金や銅合金などの金属材料やＰＰＳ、ＰＢＴ、ＰＥＴなどの樹脂材料を用いた成形品などによりなる偏平な、そして、ほぼ立方箱状のケーシング５２を有している。
【０００８】
そして、そのケーシング５２の内部には、モータ保持部５３の下部に位置するモータ駆動部（図示せず）と、そのモータ駆動部で回転させられ、所要の風を発生させる遠心ファン５４を設けてあり、ケーシング５２の上面板５５と下面板５６にはそれぞれ空気吸込口５７を形成してあり、また、その空気吸込口５７と直交する一側部に空気吹出口５８を形成している。
【０００９】
なお、モータ駆動部はマグネットモータとしており、遠心ファン５４はそのアウターロータをなしている。
【００１０】
また、送風ファン５１のケーシング５２は、外周部の少なくとも２辺部ａ、ｂにわたり、空気吹出口５８に至り、かつ、上面板５５の２辺部ａ、ｂが中央面部ｃより上方向に凸状に膨らまされて内部高さ幅の大きい略Ｌ字状の風胴部５９を有する構成としているので、空気吹出口５８からの空気の逆流がなく、風洞部５９は空気吹出口５８に近づくにつれて風路断面積が次第に大きくなるように形成されているので、遠心ファン５４の回転により発生する風が抵抗少なくして空気吹出口５８に案内されるので、より効果的に高風量化が図れる。
【００１１】
さらに、上面板５５には、嵌め合わせ用開口部６０を設けている。
【００１２】
そして、送風ファン装置５０は、前述した送風ファン５１と同一の形状の送風ファン５１ａと送風ファン５１ｂを２個上下に重ねて構成されている。
【００１３】
ここで、図１１（ｂ）に示すように上側の送風ファン５１ａは、上下が逆になるように裏返して下側の送風ファン５１ｂに重ねられ、送風ファン５１ａの遠心ファン５４ａと送風ファン５１ｂの遠心ファン５４ｂのそれぞれの回転軸が相互に非同軸となるようにずらされ、送風ファン５１ｂの上面板５５ｂにおける吸込み口５７ｂの全部または一部が、他方の送風ファン５１ａによって塞がれないようにしている。
【００１４】
さらに、送風ファン５１ａ、５１ｂのそれぞれのケーシング５２ａ、５２ｂは、略Ｌ字状の風洞部５９ａ、５９ｂを除く凹んだ部分の上面板５５ａ、５５ｂの一部が接触または近接するように重ね合わされており、それぞれの嵌め合わせ用開口部（図示せず）が、対向するモータ保持部（図示せず）に対向するように設けられている。
【００１５】
また、それぞれの送風ファン５１ａ、５１ｂにおけるそれぞれの空気吹出口５８ａ、５８ｂが同一方向へ向くように重ねられ、図示していないが、送風ファン５１ａ、５１ｂはネジまたは他の結合手段によって一体となるように結合されている。
【００１６】
以上のような構成において、送風ファン５１ａ、５１ｂを駆動することによりそれぞれの遠心ファン５４ａ、５４ｂが回転して空気吹出口５８ａ、５８ｂより空気を吹出し、所要の放熱体を送風冷却する。
【００１７】
ここで、図１１（ａ）で説明したのと同様に、前述したように送風ファン５１ｂのケーシング５２ｂは、外周部の少なくとも２辺部ａ、ｂにわたり、空気吹出口５８ｂに至り、かつ、上面板５５ｂの２辺部ａ，ｂが中央面部ｃより上方向に凸状に膨らまされて内部高さ幅の大きい略Ｌ字状の風胴部５９ｂを有する構成としている。
【００１８】
また、空気吹出口５８ｂからの空気の逆流がなく、風洞部５９ｂは空気吹出口５８ｂに近づくにつれて風路断面積が次第に大きくなるように形成されているので、遠心ファン５４ｂの回転により発生する風が抵抗少なくして空気吹出口５８ｂに案内されるので、より効率的に高風量化が図れる。
【００１９】
また、説明するまでもないが、送風ファン５１ａについても送風ファン５１ｂと同一形状であるので同様の効果を有している。
【００２０】
したがって、同一または類似の形状の送風ファンを複数個準備し上下方向に重ねて構成さすることによって、複数の送風ファンを単純に重ねた厚みより小さくすることができ、冷却性能の向上と併せて小型化・薄型化が図れている（特許文献１）。
【００２１】
また、他の従来の技術において、図示しないがシロッコファンを用いた多方向送風装置があり、単一のシロッコファンに複数の送風ハウスを互いに連結かつ回転できるような機構により装着し、それぞれの送風ハウスの送風口を任意の異なる方向へ向けて送風できるようにしたものも提案されている（特許文献２）。
【特許文献１】特開２００４−２４７４５７号公報（第７頁の図１、第８頁の図４）
【特許文献２】特開２０００−１６１２９８号公報（第３頁の図６）
【発明の開示】
【発明が解決しようとする課題】
【００２２】
しかしながら、前記のような従来の技術における送風ファン装置５０では、小型化・薄型化が図れているものの、相互に向かい合わせる側の上面板５５ｂに形成された空気吸込口５７ｂと上面板５５ａに形成された空気吸込口５７ａ（図示せず）は、いずれも半月状の形状で、それぞれの下面板５６ａ、５６ｂに形成された空気吸込口５７ａ、５７ｂ（図示せず）の開口面積と比較して約半分程度なので、それら上面板５５ａ、５５ｂに形成された空気吸込口５７ａ、５７ｂから十分な空気を吸い込むことが困難となり、送風ファン装置５０の全体として十分な風量を確保できないという課題があった。
【００２３】
また、その送風ファン装置５０が電子機器内に設置され、それぞれの送風ファン５１ａ、５１ｂの下面板５６ａ、５６ｂに形成された空気吸込口５７ａ、５７ｂがその電子機器の筐体内壁や他の周辺装置により塞がれた場合には、それぞれの上面板５５ａ、５５ｂに形成された開口面積の小さな空気吸込口５７ａ、５７ｂからしか空気を吸い込むことができずに送風ファン装置５０の全体の風量が著しく低下してしまうという課題もあった。
【００２４】
さらに、それぞれの空気吹出口５８ａ、５８ｂは同一方向へ向くように重ねられているので、空気の吹出し方向は一定方向であるものの、一方それぞれの空気吸込口５７ａ、５７ｂがいずれも遠心ファン５４ａ、５４ｂの回転軸方向の全周囲より空気を吸い込みこととなるので、空気の吸込み方向が定まらず空気の送風方向の整流性が低いという課題もあった。
【００２５】
つまり、パーソナルコンピュータなどの電子機器内に実装された超小型演算処理装置（ＭＰＵ）、チップセット、表示コントローラ、またはＨＤＤなど様々な発熱体を効率的に冷却するためには、その電子機器内において空気が滞留することなく所定の方向へ円滑に流して熱交換を行わせる必要があるが、送風ファン装置５０では、空気の吸込み方向が定まらず空気の送風方向の整流性が低いので、例えば軸流ファンのような効率的な送風を行うのが困難という課題があった。
【００２６】
本発明は、前記のような従来の課題を解決するもので、空気吸込側においてケーシングの一対の面板の周部に形成された風洞部の高さ相当の空気流入路の空間が確保されるので、それぞれの送風ファンユニットの相互に対向する空気吸込口からもその空気流入路を通過した十分な空気が送り込まれ高風量化を実現できる送風ファン装置及びそれを備えた電子機器を提供することを目的とする。
【課題を解決するための手段】
【００２７】
前記従来の課題を解決するために、本発明の送風ファン装置は、送風ファンユニットを複数具備した送風ファン装置であって、送風ファンユニットを空気吸込口の形成された面板が各々対向するとともに空気吹出口を各々同一方向に向けて重ね、送風ファンユニットの相互に隣接するケーシング間に面板と風洞部とで囲まれた空気流入路を設けるように重ねて構成した。
【００２８】
本構成によって、空気吸込側においてケーシングの一対の面板の周部に形成された風洞部の高さ相当の空気流入路の空間が確保されるので、それぞれの送風ファンユニットの相互に対向する空気吸込口からもその空気流入路を通過した十分な空気が送り込まれ高風量化を実現できる。
【００２９】
さらに、本発明の電子機器は、本発明の請求項１から６いずれか１項に記載の送風ファン装置を具備し、その送風ファン装置を用いて放熱体の放熱を行う。
【００３０】
本構成によって、放熱フィンなどの放熱体に対する放熱性能が向上し、より高速なクロック周波数で駆動するＭＰＵやＣＰＵなどの発熱電子部品を搭載した場合の発熱対策がより容易になるので、その電子機器の高性能化を実現できる。
【発明の効果】
【００３１】
本発明の送風ファン装置によれば、空気吸込側においてケーシングの一対の面板の周部に形成された風洞部の高さ相当の空気流入路の空間が確保されるので、それぞれの送風ファンユニットの相互に対向する空気吸込口からもその空気流入路を通過した十分な空気が送り込まれ高風量化を実現できる。
【発明を実施するための最良の形態】
【００３２】
請求項１記載の発明によれば、複数のブレードの回転によって遠心方向へ空気を送風する遠心ファンと、遠心ファンの回転軸方向を挟み込むように配置されかつ空気吸込口を形成した一対の面板と、一対の面板の周部に一対の面板間に連通し一対の面板間の内高さよりも大きな内高さに形成した風洞部と、風洞部と連通し一対の面板で挟まれた側面に形成した空気吹出口と、を有するケーシングと、を有する送風ファンユニットを複数具備した送風ファン装置であって、送風ファンユニットを空気吸込口の形成された面板が各々対向するとともに空気吹出口を各々同一方向に向けて重ね、送風ファンユニットの相互に隣接するケーシング間に面板と風洞部とで囲まれた空気流入路を設けるように構成したことにより、空気吸込側においてケーシングの一対の面板の周部に形成された風洞部の高さ相当の空気流入路の空間が確保されるので、それぞれの送風ファンユニットの相互に対向する空気吸込口からもその空気流入路を通過した十分な空気が送り込まれ高風量化を実現できる。
【００３３】
また、送風ファン装置の上下方向に電子機器の筐体内壁や他の周辺装置が置かれ空気吸込口が塞がれた場合でも、それぞれの送風ファンユニットのケーシングで挟まれた空間に面板と風洞部とで囲まれた空気吸込み側の空気流入路の空間が確保されるので、冷却性能が大きく低下することを防止できる。
【００３４】
さらに、同一または類似の形状の送風ファンユニットを複数個組み合わせる構成とすれば、単一の送風ファン装置で同一風量を得るために遠心ファン、回転軸、軸受けスリーブ、モータ、及びケーシングなどそれぞれの構成部材を単純拡大した場合と比較して、機械的な負荷が軽減するので、駆動トルクも小さくてよく、その分軸受けスリーブの機械的な寿命やモータの発熱に対する影響も軽減し、より高寿命で信頼性の高い送風ファン装置を提供できる。
【００３５】
請求項２記載の発明によれば、送風ファンユニットの風洞部の外壁面は、その風洞部の頂部から空気吸込口に向けて所定の傾斜角度で形成された傾斜面を有することにより、一方の送風ファンユニットの風洞部の頂部と隣接する他方の送風ファンユニットのケーシングの面板との間の隙間から吸入された空気がその傾斜面に沿って空気吸込口に直線的に流れ乱流や渦流などが発生することが防止されるので、それぞれの送風ファンユニットの空気吸込口に空気が円滑に送り込まれ高風量化を実現できる。
【００３６】
請求項３記載の発明によれば、送風ファンユニットの遠心ファンは、一方に寄せられて配置され、その寄せられた方向と反対の方向に位置するように一対の面板の周部に風洞部を形成することにより、風洞部を遠心ファンの回転軸方向である高さ方向と直交する幅方向においても拡大して風路断面積を大きくできるので、より風路抵抗を小さくして空気吹出口に空気を案内し、高風量化を実現できる。
【００３７】
請求項４記載の発明によれば、一方の送風ファンユニットの空気流入路を囲む風洞部は、その頂部が隣接する他方の送風ファンユニットのケーシングの面板に対向し、その風洞部と連通する空気吹出口に近づくにつれてその頂部の高さが段階的に大きくなるような複数の段差面を有することにより、一方の送風ファンユニットの風洞部の頂部と他方の送風ファンユニットのケーシングの面板との間の隙間が段階的に狭まっていくので、空気吹出口の側からの空気の吸込みが少なくなる一方、空気吹出口の反対側からの空気の吸込みが増大するので、その送風ファン装置を設置したときの空気の吸込み方向と吹出し方向が直線状となり空気の送風方向の整流性が高まり、例えば軸流ファンのような効率のよい送風を実現できる。
【００３８】
つまり、パーソナルコンピュータなどの電子機器内に実装された超小型演算処理装置（ＭＰＵ）、チップセット、表示コントローラ、またはＨＤＤなど様々な発熱体を効率的に冷却するためには、その電子機器内において空気が滞留することなく所定の方向へ円滑に流して熱交換を行わせる必要があるが、本発明によれば空気吹出口の反対側の方向からの空気の吸込が増大し、より整流性の高い送風ファン装置が得られる。
【００３９】
請求項５記載の発明によれば、相互に隣接する送風ファンユニットの各々の遠心ファンは、相互に逆方向に回転するように駆動されることにより、それぞれの送風ファンユニットの空気吸込口が相互に近接しても、その空気吸込口近傍において吸い込まれる空気の流れが相互に逆方向となりキャンセルされるので、渦流化が抑制されてより効率的な空気の吸込みが実現できる。
【００４０】
請求項６記載の発明によれば、相互に隣接する送風ファンユニットにおいて、相互に対向する面板に形成された各々の空気吸込口に遠心ファンを回転駆動するモータ駆動部を各々配置し、各々のモータ駆動部に接続されたリード線を空気流入路に導入することにより、外部にそのリード線が不要に延在することがなくなり、送風ファン装置を電子機器内に搭載する際において、そのリード線を作業者が手や工具にひっかけて、リード線引き出し部に機械的なダメージや断線状態を引き起こしてしまうのを未然に防止することができるので、製品安全性や取付け作業性の向上を実現できる。
【００４１】
請求項７記載の発明によれば、請求項１から６いずれか１項に記載の送風ファン装置を具備し、その送風ファン装置を用いて放熱体の放熱を行うことにより、放熱フィンやヒートシンクなどの放熱体に対する放熱性能が向上し、より高速なクロック周波数で駆動するＭＰＵやＣＰＵなどの発熱電子部品を搭載した場合の発熱対策がより容易になるので、その電子機器の高性能化を実現できる。
【００４２】
以下、本発明の実施の形態を、図面を参照しながら説明する。
【００４３】
（実施の形態１）
図１は本発明の実施の形態１における送風ファン装置の斜視図で、図２（ａ）は本発明の実施の形態１における送風ファン装置を構成する上側送風ファンユニットの斜視図で、図２（ｂ）は本発明の実施の形態１における送風ファン装置を構成する下側送風ファンユニットの斜視図で、図３（ａ）は本発明の実施の形態１における送風ファン装置の正面図で、図３（ｂ）は本発明の実施の形態１における送風ファン装置を構成する上側送風ファンユニットの正面図で、図３（ｃ）は本発明の実施の形態１における送風ファン装置を構成する下側送風ファンユニットの正面図で、図４（ａ）は本発明の実施の形態１における送風ファン装置の側面図で、図４（ｂ）は本発明の実施の形態１における送風ファン装置を構成する上側送風ファンユニットの側面図で、図４（ｃ）は本発明の実施の形態１における送風ファン装置を構成する下側送風ファンユニットの側面図で、図５（ａ）は図４（ａ）のＡ−Ａ矢視断面図で、図５（ｂ）は図４（ａ）のＢ−Ｂ矢視断面図で、図６は風量静圧特性の比較グラフである。
【００４４】
まず、図１で示したように、送風ファン装置１は、上方に位置する上側送風ファンユニット１ａと、その下方に位置し上側送風ファンユニット１ａと同一または類似の形状でかつそれを反転させた状態で組み合わされる下側送風ファンユニット１ｂとにより構成されている。
【００４５】
ここで、上側送風ファンユニット１ａの上側の面板を構成するファンカバー２１ａは、アルミニウムやステンレス鋼などの金属材料の打ち抜き成形や樹脂成形によりプレート状に成形されており、その略中央部に外部から空気を吸い込む略円形状の空気吸込口３ａが形成されている。
【００４６】
また、そのファンカバー２１ａの下方には、下側の面板２３ａ（図５（ａ）参照）を備えたファンフレーム２２ａが組み合わされてケーシング２ａが構成されている。
【００４７】
そして、遠心ファン４ａは、円筒形状の外周面を有するハブ部４１ａとその外周面から遠心方向へ略放射状に延びる複数のブレード４２ａとから構成され、ケーシング２ａの内部に配置され、ファンカバー２１ａとファンフレーム２２ａとに挟まれて収容されている。
【００４８】
そして、そのブレード４２ａが回転中心である破線で示した回転軸４３ａを中心として回転することによって、空気吸込口３ａから吸い込まれた空気はその遠心ファン４ａの遠心方向へ送風される。
【００４９】
また、ファンフレーム２２ａは、樹脂成型やアルミニウム合金のダイカスト成型などにより下面と側面が一体的に成形され、そのファンフレーム２２ａの下部に位置するフラット形状の面板２３ａの略中央部にも外部から空気を吸い込む空気吸気口６ａ（図５（ａ）参照）が前述した上方の空気吸込口３ａと同径で略円形状に形成され、さらにその面板２３ａの周部には面板２３ａとファンカバー２１ａとの間に連通し、下方向に膨らんだ風洞部５１ａが一体成形で形成されている。
【００５０】
そして、そのファンフレーム２２ａの一方の側面には、ケーシング２ａの内部に吸気されケーシング２ａの内壁面に沿って流れた空気を吹き出す空気吹出口５ａが、風洞部５１ａと連通しファンカバー２１ａとファンフレーム２２ａとで挟まれて形成されている。
【００５１】
また、その空気吸込口６ａを横断するように、その空気吸込口６ａの周部の３箇所にはスポーク（図示せず）が連設されている。
【００５２】
そして、そのスポークにより遠心ファン４ａを回転駆動するモータ駆動部７ａ（図５（ａ）参照）が保持されていて、その遠心ファン４ａが矢印Ｒで示した回転方向に高速で回転すると、そのハブ部４１ａの上面に対向するようにファンカバー２１ａの中央部に形成された空気吸込口３ａとファンフレーム２２ａの下側の面板２３ａの中央部に形成された空気吸込口６ａとの両方から空気が吸気される。
【００５３】
つまり、空気吸込口３ａを形成した面板であるファンカバー２１ａと空気吸込口６ａを形成した下側の面板２３ａとが、複数のブレード４２ａの回転によって遠心方向へ空気を送風する遠心ファン４ａの回転軸４３ａ方向を挟み込むように配置されている。
【００５４】
そして、ケーシング２ａの内部に吸い込まれた空気は、遠心ファン４ａの回転によりその遠心方向へと風向きが変えられながら送風され、さらにはケーシング２ａの内壁にぶつかりながら、その内壁に沿って遠心ファン４ａの矢印Ｒで示した回転方向へ送られて、最終的に上下方向で広角となるように形成された空気吹出口５ａから外部へ吹き出される。
【００５５】
さらに、ファンフレーム２２ａの下部の面板２３ａの周部には、その面板２３ａとファンカバー２１ａとの間に連通し、下方向に膨らんだ風洞部５１ａが形成されており、空気吹出口５ａからの空気の逆流がなく、風洞部５１ａは空気吹出口５ａに近づくにつれて風路断面積が次第に大きくなるように設定されている。
【００５６】
したがって、遠心ファン４ａの回転により発生する風が抵抗少なくして空気吹出口５ａに案内されるので、より効率的に高風量化が図れる。
【００５７】
そして、そのファンフレーム２２ａの側面の上部には、略円筒形状の凸部２４ａが４箇所に設けられていて、ファンカバー２１ａの取り付け穴に嵌挿して熱溶着やカシメなどにより固定されている。
【００５８】
一方、下側送風ファンユニット１ｂの構成は、上側送風ファンユニット１ａと同一で、それを反転させただけなので詳細な説明は省略するが、その下側送風ファンユニット１ｂはファンカバー２１ｂとファンフレーム２２ｂとにより構成されたケーシング２ｂを備えている。
【００５９】
さらに、ファンフレーム２２ｂの上部の面板２３ｂの周部には、遠心ファン４ｂ（図２（ｂ）参照）の回転軸４３ｂ（図５（ａ）参照）の方向において上方向に膨らんだ風洞部５１ｂが形成されており、空気吹出口５ｂからの空気の逆流がなく、風洞部５１ｂは空気吹出口５ｂに近づくにつれて風路断面積が次第に大きくなるように形成されているので、遠心ファン４ｂの回転により発生する風が抵抗少なくして空気吹出口５ｂに案内されるので、より効率的に高風量化が図れる。
【００６０】
そして、上側送風ファンユニット１ａの風洞部５１ａの頂部が、下側送風ファンユニット１ｂのケーシング２ｂの面板２３ｂ（図２（ｂ）参照）と対向し、下側送風ファンユニット１ｂの風洞部５１ｂの頂部が、上側送風ファンユニット１ａのケーシング２ａの面板２３ａ（図５（ａ）参照）と対向するように重ねられている。
【００６１】
つまり、空気吸込口６ａの形成された面板２３ａと空気吸込口６ｂの形成された面板２３ｂとが各々対向し、上側送風ファンユニット１ａの上下方向で広角となるように形成された空気吹出口５ａが、下側送風ファンユニット１ｂの空気吹出口５ｂと同一方向に向くように重ねられている。
【００６２】
その際、上側送風ファンユニット１ａの側面の２箇所に設けられたブラケット２５ａと下側送風ファンユニット１ｂの側面の２箇所に設けられたブラケット２５ｂとがそれぞれ図示しない固定ネジとナットによって締め付けられて上側送風ファンユニット１ａと下側送風ファンユニット１ｂとが相互に所定の位置関係となるように重ねられている。
【００６３】
そして、上側送風ファンユニット１ａと下側送風ファンユニット１ｂとが組み合わされ、空気吸込口６ａの形成された面板２３ａと空気吸込口６ｂの形成された面板２３ｂとが各々対向し、上側送風ファンユニット１ａの上下方向で広角となるように形成された空気吹出口５ａが、下側送風ファンユニット１ｂの空気吹出口５ｂと同一方向に向くように重ねられ、相互に隣接する上側送風ファンユニット１ａのケーシング２ａと下側送風ファンユニット１ｂのケーシング２ｂとの間の空間に、それぞれの面板２３ａ、２３ｂとそれぞれの風洞部５１ａ、５１ｂとで囲まれた空気流入路８が設けられることにより、空気吸込側においてケーシング２ａ、２ｂのそれぞれの一対の面板２３ａ、２３ｂの周部に形成された風洞部５１ａ、５１ｂの高さ相当の空気流入路８の空間が確保されるので、相互に対向する上側送風ファンユニット１ａの下側の空気吸込口６ａと下側送風ファンユニット１ｂの上側の空気吸込口６ｂ（図２（ｂ）参照）とからも空気流入路８を通過した十分な空気が送り込まれ高風量化を実現できる。
【００６４】
次に、図２（ａ）、（ｂ）は前述した上側送風ファンユニット１ａと下側送風ファンユニット１ｂとを上下方向に分離し組み合わせる前の状態を分かりやすく斜視図で示している。
【００６５】
ここで、図２（ａ）で示した上側送風ファンユニット１ａについては前述したとおりなので説明を省略する。
【００６６】
一方、図２（ｂ）で示したように、下側送風ファンユニット１ｂの下側の面板を構成するファンカバー２１ｂは、アルミニウムやステンレス鋼などの金属材料の打ち抜き成形や樹脂成形によりプレート状に成形されており、その略中央部に外部から空気を吸い込む略円形状の空気吸込口３ｂ（図５（ａ）参照）が形成されている。
【００６７】
また、そのファンカバー２１ｂの上方には、上側の面板２３ｂを備えたファンフレーム２２ｂが組み合わされてケーシング２ｂが構成されている。
【００６８】
そして、遠心ファン４ｂは、そのケーシング２ｂの内部に配置され、ファンカバー２１ｂとファンフレーム２２ｂとに挟まれて収容されている。
【００６９】
また、ファンフレーム２２ｂは、樹脂成型やアルミニウム合金のダイカスト成型などにより上面と側面が一体的に成形され、そのファンフレーム２２ｂの上部に位置するフラット形状の面板２３ｂの略中央部にも外部から空気を吸い込む空気吸気口６ｂが前述した下方の空気吸込口３ｂと同径で略円形状に形成され、さらにその面板２３ｂの周部には面板２３ｂとファンカバー２１ｂとの間に連通し、上方向に膨らんだ風洞部５１ｂが一体成形で形成されている。
【００７０】
そして、そのファンフレーム２２ｂの一方の側面には、ケーシング２ｂの内部に吸気されケーシング２ｂの内壁面に沿って流れた空気を吹き出す空気吹出口５ｂが、風洞部５１ｂと連通しファンカバー２１ｂとファンフレーム２２ｂとで挟まれて形成されている。
【００７１】
また、空気流入路８を囲む風洞部５１ｂは、ファンフレーム２２ｂのフラット形状の面板２３ｂの周部に形成され、その外壁面が空気吹出口５ｂに近づくにつれてその頂部の高さが段階的に大きくなるような３つの段差面５１１ｂ、５１２ｂ、５１３ｂを有していて、その面板２３ｂの略中央には略円形状の空気吸込口６ｂが形成されている。
【００７２】
そして、風洞部５１ｂの外壁面は、その風洞部５１ｂの頂部を構成する段差面５１１ｂ、５１２ｂ、５１３ｂのそれぞれから空気吸込口６ｂに向けて所定の傾斜角度で形成された傾斜面５２１ｂ、５２２ｂ、２２３ｂを有している。
【００７３】
また、空気吸込口６ｂを横断するように、その空気吸込口６ｂの周部の３箇所にはスポーク２６ｂが連設されて、そのスポーク２６ｂにより遠心ファン４ｂを回転駆動するモータ駆動部７ｂが保持されていて、遠心ファン４ｂが矢印Ｒで示した回転方向に高速で回転すると、上側の面板２３ｂの中央部に形成された空気吸込口６ｂと下側の面板を構成するファンカバー２１ｂの中央部に形成された空気吸込口３ｂ（図５（ａ）参照）との両方から空気が吸気される。
【００７４】
つまり、空気吸込口３ｂを形成した下側の面板であるファンカバー２１ｂと空気吸込口６ｂを形成した上側の面板２３ｂとが、遠心方向へ空気を送風する遠心ファン４ｂの回転軸４３ｂ（図５（ａ）参照）方向を挟み込むように配置されている。
【００７５】
なお、前述したモータ駆動部７ｂには、外部より駆動電圧を印可するためのリード線７１ｂが上側の面板２３ｂを這うように導入されており、空気吸込口６ｂを通過させて接続されている。
【００７６】
そして、ケーシング２ｂの内部に吸い込まれた空気は、遠心ファン４ｂの回転によりその遠心方向へと風向きが変えられながら送風され、さらにはケーシング２ｂの内壁にぶつかりながら、その内壁に沿って遠心ファン４ｂの矢印Ｒで示した回転方向へ送られて、最終的に広角に形成された空気吹出口５ｂから外部へ吹き出される。
【００７７】
また、図２（ａ）、（ｂ）の矢印Ｒで示された回転方向を比較すれば明らかなように、上側送風ファンユニット１ａの遠心ファン４ａと下側送風ファンユニット１ｂの遠心ファン４ｂとは相互に逆方向に回転するように駆動されている。
【００７８】
さらに、両者の組み合わせにおいては、下側送風ファンユニット１ｂにおいて３つの段差面５１１ｂ、５１２ｂ、５１３ｃを構成する風洞部５１ｂの頂部が、上側送風ファンユニット１ａのファンフレーム２２ａの下側の面板２３ａと対向し、かつ上側送風ファンユニット１ａの風洞部５１ａの頂部が、下側送風ファンユニット１ｂのファンフレーム２２ｂの上側の面板２３ｂと対向するように重ねられている。
【００７９】
つまり、空気吸込口６ａの形成された面板２３ａと空気吸込口６ｂの形成された面板２３ｂとが各々対向し、上側送風ファンユニット１ａの上下方向で広角となるように形成された空気吹出口５ａが、下側送風ファンユニット１ｂの空気吹出口５ｂと同一方向に向くように重ねられている。
【００８０】
ここで、ケーシング２ａの面板２３ａに形成された空気吸込口６ａとケーシング２ｂの面板２３ｂに形成された空気吸込口６ｂは相互に対向し、空気吸込口６ａに配置されたモータ駆動部７ａ（図５（ａ）参照）にはリード線７１ａが接続され、空気吸込口６ｂに配置されたモータ駆動部７ｂにはリード線７１ｂが接続され、上側送風ファンユニット１ａと下側送風ファンユニット１ｂとの間の空間においてそれぞれの面板２３ａ、２３ｂとそれぞれの風洞部５１ａ、５１ｂとで囲まれた空気流入路８にそれぞれのリード線７１ａと７１ｂが導入されている。
【００８１】
このような構成により、外部にそのリード線７１ａ、７１ｂが不要に延在することがなくなり、送風ファン装置１を電子機器内に搭載する際において、そのリード線７１ａ、７１ｂを作業者が手や工具にひっかけて、リード線引き出し部に機械的なダメージや断線状態を引き起こしてしまうのを未然に防止することができるので、製品安全性や取付け作業性の向上を実現できる。
【００８２】
次に、図３（ａ）は前述した送風ファン装置１の正面図で、さらに分かりやすく説明するために組み合わせる前の上下方向に分離した状態として、図３（ｂ）は上側送風ファンユニット１ａの正面図を、図３（ｃ）は下側送風ファンユニット１ｂの正面図を示している。
【００８３】
ここで、図３（ａ）で示したように上側送風ファンユニット１ａの空気吹出口５ａと下側送風ファンユニット１ｂの空気吹出口５ｂとが同一方向に向けて重ねられているので、送風ファン装置１の総風量はそれぞれで２分されており、全幅方向において空気吹出口５ａと空気吹出口５ｂが重なっているばかりでなく、それぞれの風洞部５１ａと５１ｂが相互に幅方向で隣接するように重ねて構成されている。
【００８４】
また、図３（ｂ）で示したように上側送風ファンユニット１ａの風洞部５１ａの吹出口の幅Ｗｆａをその上側送風ファンユニット１ａの空気吹出口５ａの全幅Ｗｔａの略半分となるように設定し、風洞部５１ａの吹出口の高さＨｆａを遠心ファン４ａの上下に位置するケーシング２ａのファンカバー２１ａと面板２３ａとの間の内高さＨａの約０．５倍〜１．５倍に設定し、その風洞部５１ａの頂部を構成する段差面５１３ａが図３（ｃ）で示した下側送風ファンユニット１ｂのファンフレーム２２ｂの面板２３ｂと対向するように組み合わされる。
【００８５】
したがって、風洞部５１ａの吹出口の内高さＨｆｉａは、ケーシング２ａのファンカバー２１ａと面板２３ａとの間の内高さＨａよりも大きくなっている。
【００８６】
さらに、図３（ｃ）で示したように下側送風ファンユニット１ｂの風洞部５１ｂの吹出口の幅Ｗｆｂをその下側送風ファンユニット１ｂの空気吹出口５ｂの全幅Ｗｔｂの略半分となるように設定し、風洞部５１ｂの吹出口の高さＨｆｂを遠心ファン４ｂの上下に位置するケーシング２ｂのファンカバー２１ｂと面板２３ｂとの間の内高さＨｂの約０．５倍〜１．５倍に設定し、その風洞部５１ｂの頂部を構成する段差面５１３ｂが図３（ｂ）で示した上側送風ファンユニット１ａのファンフレーム２２ａの面板２３ａと対向するように組み合わされる。
【００８７】
したがって、風洞部５１ａの吹出口の内高さＨｆｉｂは、ケーシング２ａのファンカバー２１ｂと面板２３ｂとの間の内高さＨｂよりも大きくなっている。
【００８８】
以上のように、上側送風ファンユニット１ａの風洞部５１ａの吹出口の幅Ｗｆａを、上側送風ファンユニット１ａの空気吹出口５ａの全幅Ｗｔａの略半分とし、下側送風ファンユニット１ｂの風洞部５１ｂの吹出口の幅Ｗｆｂを、下側送風ファンユニット１ｂの空気吹出口５ｂの全幅Ｗｔｂの略半分とし、風洞部５１ａ，５１ｂの吹出口を相互に幅方向で隣接するように重ねて構成することにより、その送風ファン装置１の全幅の領域全体に渡って風洞部５１ａまたは５１ｂに案内された空気が吹き出されるので、高風量化に加えて送風ファン装置１の空気吹出口全体において風量の偏りが少なくより均等な風圧分布が得られる。
【００８９】
次に、図４（ａ）は前述した送風ファン装置１の側面図で、さらに分かりやすく説明するために上下方向に分離し組み合わされる前の状態として、図４（ｂ）は上側送風ファンユニット１ａの側面図を、図４（ｃ）は下側送風ファンユニット１ｂの側面図を示している。
【００９０】
ここで、図４（ａ）で示したように上側送風ファンユニット１ａと下側送風ファンユニット１ｂとが組み合わされ、空気吸込口６ａの形成された面板２３ａと空気吸込口６ｂの形成された面板２３ｂとが各々対向し、上側送風ファンユニット１ａの上下方向で広角となるように形成された空気吹出口５ａが、下側送風ファンユニット１ｂの空気吹出口５ｂと同一方向（本図では左方向）に向くように重ねられ、相互に隣接する上側送風ファンユニット１ａのケーシング２ａと下側送風ファンユニット１ｂのケーシング２ｂとの間の空間に、それぞれの面板２３ａ、２３ｂとそれぞれの風洞部５１ａ、５１ｂとで囲まれた空気流入路８が設けられることにより、空気吸込側においてケーシング２ａ、２ｂのそれぞれの一対の面板２３ａ、２３ｂの周部に形成された風洞部５１ａ、５１ｂの高さ相当の空気流入路８の空間が確保されるので、上側送風ファンユニット１ａの上側の空気吸込口３ａや下側送風ファンユニット１ｂの下側の空気吸込口３ｂから破線の矢印で示したように上下方向から吸い込まれる空気に加え、相互に対向する上側送風ファンユニット１ａの下側の空気吸込口６ａと下側送風ファンユニット１ｂの上側の空気吸込口６ｂとからも実線の矢印で示したように空気流入路８を通過した十分な空気が送り込まれ高風量化を実現できる。
【００９１】
また、送風ファン装置１の上下方向に電子機器の筐体内壁や他の周辺装置が置かれ、上側に位置する空気吸込口３ａまたは下側に位置する空気吸込口３ｂが塞がれた場合でも、ケーシング２ａとケーシング２ｂとで挟まれた空間にそれぞれの面板２３ａ、２３ｂとそれぞれの風洞部５１ａ、５１ｂとで囲まれた空気吸込み側の空気流入路８の空間が確保されるので、冷却性能が大きく低下することを防止できる。
【００９２】
さらに、同一または類似の形状の送風ファンユニットを２個組み合わせる構成であることにより、単一の送風ファン装置で同一風量を得るために遠心ファン、回転軸、軸受けスリーブ、モータ、及びケーシングなどそれぞれの構成部材を単純拡大した場合と比較して、機械的な負荷が軽減するので、駆動トルクも小さくてよく、その分軸受けスリーブの機械的な寿命やモータの発熱に対する影響も軽減し、より高寿命で信頼性の高い送風ファン装置を提供できる。
【００９３】
また、図４（ｃ）でも示したように、下側送風ファンユニット１ｂの空気流入路８を囲む風洞部５１ｂは、ファンフレーム２２ｂに一体成形され、その外壁面が空気吹出口５ｂに近づくにつれてその頂部の高さが段階的に大きくなるような３つの段差面５１１ｂ、５１２ｂ、５１３ｂを有している。
【００９４】
さらに、その風洞部５１ｂの頂部を構成する段差面５１１ｂ、５１２ｂ、５１３ｂは、隣接する上側送風ファンユニット１ａのケーシング２ａを構成するファンフレーム２２ａの下側の面板２３ａに対向している。
【００９５】
このような構成により、空気吹出口５ｂに近づくにつれて、下側送風ファンユニット１ｂの空気流入路８を囲む風洞部５１ｂの頂部と上側送風ファンユニット１ａのケーシング２ａの面板２３ａとの間の隙間が段階的に狭まっていくので、空気吹出口５ｂの側からの空気の吸込みが少なくなる一方、空気吹出口５ｂの反対側からの空気の吸込みが増大する。
【００９６】
同様に、図４（ｂ）でも示したように、上側送風ファンユニット１ａの空気流入路８を囲む風洞部５１ａは、ファンフレーム２２ａに一体成形され、その外壁面が空気吹出口５ａに近づくにつれてその頂部の高さが段階的に大きくなるような３つの段差面５１１ａ、５１２ａ、５１３ａを有している。
【００９７】
さらに、その風洞部５１ａの頂部を構成する段差面５１１ａ、５１２ａ、５１３ａは、隣接する下側送風ファンユニット１ｂのケーシング２ｂを構成するファンフレーム２２ｂの上側の面板２３ｂに対向している。
【００９８】
このような構成により、空気吹出口５ａに近づくにつれて、上側送風ファンユニット１ａの空気流入路８を囲む風洞部５１ａの頂部と下側送風ファンユニット１ｂのケーシング２ｂの面板２３ｂとの間の隙間が段階的に狭まっていくので、空気吹出口５ａの側からの空気の吸込みが少なくなる一方、空気吹出口５ａの反対側からの空気の吸込みが増大する。
【００９９】
以上のように、上側送風ファンユニット１ａの風洞部５１ａ、面板２３ａと下側送風ファンユニット１ｂの風洞部５１ｂ、面板２３ｂとが相互に作用し合って、その送風ファン装置１を設置したときの空気の吸込み方向と吹出し方向が直線状となり空気の送風方向の整流性が高まり、例えば軸流ファンのような効率のよい送風を実現できる。
【０１００】
つまり、パーソナルコンピュータなどの電子機器内に実装された超小型演算処理装置（ＭＰＵ）、チップセット、表示コントローラ、またはＨＤＤなど様々な発熱体を効率的に冷却するためには、その電子機器内において空気が滞留することなく所定の方向へ円滑に流して熱交換を行わせる必要があるが、本発明によれば空気吹出口５ａ、５ｂの反対側の方向からの空気の吸込が増大し、より整流性の高い送風ファン装置が得られる。
【０１０１】
次に、図５（ａ）では、相互に隣接する上側送風ファンユニット１ａのケーシング２ａと下側送風ファンユニット１ｂのケーシング２ｂとの間のそれぞれの面板２３ａ、２３ｂとそれぞれの風洞部５１ａ、５１ｂとで囲まれた空気流入路８の領域を２点鎖線で囲んで示している。
【０１０２】
その空気流入路８の高さＨ８は、ケーシング２ａの面板２３ａの周部に形成された風洞部５１ａの高さＨｆａ（図３（ｂ）参照）やケーシング２ｂの面板２３ｂの周部に形成された風洞部５１ｂの高さＨｆｂ（図３（ｃ）参照）に相当する高さが確保され、空気吸込側において相互に対向する上側送風ファンユニット１ａの下側の空気吸込口６ａと下側送風ファンユニット１ｂの上側の空気吸込口６ｂとからも実線の矢印で示したように空気流入路８を通過した十分な空気が送り込まれ高風量化を実現できる。
【０１０３】
また、風洞部５１ａの外壁面は、その風洞部５１ａの頂部を構成する段差面５１２ａから空気吸込口６ａに向けて所定の傾斜角度θ２で形成された傾斜面５２２ａを有していて、その傾斜面５２２ａは面板２３ａに対してその傾斜角度θ２が３０°〜６０°の範囲となるように設定されている。
【０１０４】
このような構成により、上側送風ファンユニット１ａの風洞部５１ａの頂部と下側送風ファンユニット１ｂのケーシング２ｂの面板２３ｂとの間の隙間から吸入された空気がその傾斜面５２２ａに沿って空気吸込口６ａに直線的に流れ乱流や渦流などが発生することが防止されるので、その空気吸込口６ａに空気が円滑に送り込まれ高風量化を実現できる。
【０１０５】
同様に、風洞部５１ｂの外壁面は、その風洞部５１ｂの頂部を構成する段差面５１２ｂから空気吸込口６ｂに向けて所定の傾斜角度θ２で形成された傾斜面５２２ｂを有していて、その傾斜面５２２ｂは面板２３ｂに対してその傾斜角度θ２が３０°〜６０°の範囲となるように設定されている。
【０１０６】
このような構成により、下側送風ファンユニット１ｂの風洞部５１ｂの頂部と上側送風ファンユニット１ａのケーシング２ａの面板２３ａとの間の隙間から吸入された空気がその傾斜面５２２ｂに沿って空気吸込口６ｂに直線的に流れ乱流や渦流などが発生することが防止されるので、その空気吸込口６ｂに空気が円滑に送り込まれ高風量化を実現できる。
【０１０７】
また、ケーシング２ａに収容された遠心ファン４ａの回転軸４３ａは、一方に寄せられて配置され、その寄せられた方向と反対の方向に位置するようにケーシング２ａの面板２３ａの周部に風洞部５１ａを形成することにより、風洞部５１ａを遠心ファン４ａの回転軸４３ａ方向である高さ方向と直交する幅方向においても拡大して風路断面積を大きくできるので、より風路抵抗を小さくして空気吹出口５ａに空気を案内し、高風量化を実現できる。
【０１０８】
同様に、ケーシング２ｂに収容された遠心ファン４ｂの回転軸４３ｂは、一方に寄せられて配置され、その寄せられた方向と反対の方向に位置するようにケーシング２ｂの面板２３ｂの周部に風洞部５１ｂを形成することにより、風洞部５１ｂを遠心ファン４ｂの回転軸４３ｂ方向である高さ方向と直交する幅方向においても拡大して風路断面積を大きくできるので、より風路抵抗を小さくして空気吹出口５ｂに空気を案内し、高風量化を実現できる。
【０１０９】
また、前述したようにそれぞれの遠心ファン４ａ、４ｂは、相互に逆方向に回転するように駆動されることにより、上側送風ファンユニット１ａの空気吸込口６ａと下側送風ファンユニット１ｂの空気吸込口６ｂが相互に近接しても、それら空気吸込口６ａ、６ｂ近傍において吸い込まれる空気の流れが相互に逆方向となりキャンセルされるので、渦流化が抑制されてより効率的な空気の吸込みが実現できる。
【０１１０】
次に、図５（ｂ）では、相互に隣接する上側送風ファンユニット１ａのケーシング２ａと下側送風ファンユニット１ｂのケーシング２ｂとの間のそれぞれの面板２３ａ、２３ｂとそれぞれの風洞部５１ａ、５１ｂとで囲まれた空気流入路８の領域を２点鎖線で囲んで示している。
【０１１１】
その空気流入路８の高さＨ８は、ケーシング２ａの面板２３ａの周部に形成された風洞部５１ａの高さＨｆａ（図３（ｂ）参照）やケーシング２ｂの面板２３ｂの周部に形成された風洞部５１ｂの高さＨｆｂ（図３（ｃ）参照）に相当する高さが確保され、実線の矢印で示したように空気流入路８を通過した十分な空気が送り込まれ高風量化を実現できる。
【０１１２】
また、風洞部５１ａの外壁面は、その風洞部５１ａの頂部を構成する段差面５１１ａから空気吸込口６ａに向けて所定の傾斜角度θ１で形成された傾斜面５２１ａを有していて、その傾斜面５２１ａは面板２３ａに対して傾斜角度θ１が３０°〜６０°の範囲となるように設定されている。
【０１１３】
このような構成により、上側送風ファンユニット１ａの５１ａの頂部を構成する段差面５１１ａと下側送風ファンユニット１ｂのケーシング２ｂの面板２３ｂとの間の隙間から吸入された空気がその傾斜面５２１ａに沿って空気吸込口６ａに直線的に流れ乱流や渦流などが発生することが防止されるので、その空気吸込口６ａに空気が円滑に送り込まれ高風量化を実現できる。
【０１１４】
同様に、風洞部５１ｂの外壁面は、その風洞部５１ｂの頂部を構成する段差面５１１ｂから空気吸込口６ｂに向けて所定の傾斜角度θ１で形成された傾斜面５２１ｂを有していて、その傾斜面５２１ｂは面板２３ｂに対してその傾斜角度θ１が３０°〜６０°の範囲となるように設定されている。
【０１１５】
このような構成により、下側送風ファンユニット１ｂの風洞部５１ｂの頂部を構成する段差面５１１ｂと上側送風ファンユニット１ａのケーシング２ａの面板２３ａとの間の隙間から吸入された空気がその傾斜面５２１ｂに沿って空気吸込口６ｂに直線的に流れ乱流や渦流などが発生することが防止されるので、その空気吸込口６ｂに空気が円滑に送り込まれ高風量化を実現できる。
【０１１６】
次に、図６を用いて本発明の実施の形態１に係わる送風ファン装置１の効果を説明する。風量静圧特性の評価を行った送風ファン装置１としては、上側送風ファンユニット１ａのケーシング２ａは、内高さＨａが約１４ｍｍ、空気吹出口５ａの全幅Ｗｔａが８７ｍｍ、風洞部５１ａの吹出口の幅Ｗｆａが約４３ｍｍ、風洞部５１ａの高さＨｆａが約１７ｍｍ、風胴部５１ａの内高さＨｆｉａが約４０ｍｍ、空気吸込口３ａ、６ａの開口半径が約２２ｍｍ、遠心ファン４ａは回転半径が約３０ｍｍで１７枚のブレード４２ａを有するものを用い、下側送風ファンユニット１ｂのケーシング２ｂや遠心ファン４ｂのそれぞれのサイズも上側送風ファンユニット１ａのそれと同一とした。
【０１１７】
そして、回転駆動時におけるファン騒音値が４３ｄＢＡとなるように回転速度を３５００ｒｐｍに設定して測定し、空気流入路８の設けられていない従来の送風ファン装置の同一ファン騒音値における風量静圧特性との比較を行った。
【０１１８】
この図６からも明らかなように、本発明の実施の形態１に係わる送風ファン装置１の風量静圧特性は、風量が０．１１ｍ3／ｍｉｎ以上の領域において従来の送風ファン装置よりも良好な風量静圧特性を示し、同一静圧値において最大で約２７％程度の高風量化の改善効果が得られた。
【０１１９】
（実施の形態２）
図７は本発明の実施の形態２における送風ファン装置の斜視図で、図８（ａ）は本発明の実施の形態２における送風ファン装置を構成する上側送風ファンユニットの斜視図で、図８（ｂ）は本発明の実施の形態２における送風ファン装置を構成する中側送風ファンユニットの斜視図で、図８（ｃ）は本発明の実施の形態２における送風ファン装置の下側送風ファンユニットの斜視図で、図９（ａ）は本発明の実施の形態２における送風ファン装置の側面図で、図９（ｂ）は図９（ａ）のＣ−Ｃ矢視断面図である。
【０１２０】
図７で示したように、送風ファン装置１０１は、上方に位置する上側送風ファンユニット１０１ａと、その下方に位置し上側送風ファンユニット１０１ａと同一または類似の形状でかつそれを反転させた状態の中側送風ファンユニット１０１ｂと、その下方に位置し上側送風ファンユニット１０１ａと同一または類似の形状の下側送風ファンユニット１０１ｃを上下方向に３段重ねして構成されている。
【０１２１】
ここで、必要とする送風ファンユニットの数や形状は異なるものの基本的な構成は前述した実施の形態１とほぼ同じであるので、以下相違する部分について詳しく説明する。
【０１２２】
まず、上側送風ファンユニット１０１ａは、複数のブレードの矢印方向への回転によってその遠心方向へ空気を送風する遠心ファン１０２ａを有し、遠心ファン１０２ａの回転軸１０７ａ（図９（ｂ）参照）を挟む上下のそれぞれの面板に空気吸込口１０３ａが形成され、その上下の面板の周部にその面板間に連通しその面板間の内高さよりも大きな内高さに形成されて上下方向に膨らんだ風洞部１０６ａと、その風洞部１０６ａと連通し一対の面板で挟まれた側面に形成された空気吹出口１０４ａと、を有するケーシング１０５ａを有している。
【０１２３】
ここで、風洞部１０６ａは、上下方向に広角となるように形成されている空気吹出口１０４ａと同一の高さで略Ｌ字状となるようにケーシング１０５ａの上下の面板の周部に形成されていて、その風洞部１０６ａは空気吹出口１０４ａに近づくにつれて風路断面積が次第に大きくなるように形成されているので、遠心ファン１０２ａの回転により発生する風が抵抗少なくして空気吹出口１０４ａに案内されるので、より効率的に高風量化が図れる。
【０１２４】
同様に、中側送風ファンユニット１０１ｂは、複数のブレードの矢印方向への回転によってその遠心方向へ空気を送風する遠心ファン１０２ｂを有し、さらに遠心ファン１０２ｂの回転軸１０７ｂ（図９（ｂ）参照）を挟む上下のそれぞれの面板に空気吸込口１０３ｂが形成され、その上下の面板の周部にその面板間に連通しその面板間の内高さよりも大きな内高さに形成されて上下方向に膨らんだ風洞部１０６ｂと、その風洞部１０６ｂと連通し一対の面板で挟まれた側面に形成された空気吹出口１０４ｂと、を有するケーシング１０５ｂを有している。
【０１２５】
ここで、風洞部１０６ｂは、上下方向に広角となるように形成されている空気吹出口１０４ｂと同一の高さで略Ｌ字状となるようにケーシング１０５ｂの上下の面板の周部に形成されていて、その風洞部１０６ｂは空気吹出口１０４ｂに近づくにつれて風路断面積が次第に大きくなるように形成されているので、遠心ファン１０２ｂの回転により発生する風が抵抗少なくして空気吹出口１０４ｂに案内されるので、より効率的に高風量化が図れる。
【０１２６】
同様に、下側送風ファンユニット１０１ｃは、複数のブレードの矢印方向への回転によってその遠心方向へ空気を送風する遠心ファン１０２ｃを有し、さらに遠心ファン１０２ｃの回転軸１０７ｃ（図９（ｂ）参照）を挟む上下のそれぞれの面板に空気吸込口１０３ｃが形成され、その上下の面板の周部にその面板間に連通しその面板間の内高さよりも大きな内高さに形成されて上下方向に膨らんだ風洞部１０６ｃと、その風洞部１０６ｃと連通し一対の面板で挟まれた側面に形成された空気吹出口１０４ｃと、を有するケーシング１０５ｃを有している。
【０１２７】
ここで、風洞部１０６ｃは、上下方向に広角となるように形成されている空気吹出口１０４ｃと同一の高さで略Ｌ字状となるようにケーシング１０５ｃの上下の面板の周部に形成されていて、その風洞部１０６ｃは空気吹出口１０４ｃに近づくにつれて風路断面積が次第に大きくなるように形成されているので、遠心ファン１０２ｃの回転により発生する風が抵抗少なくして空気吹出口１０４ｃに案内されるので、より効率的に高風量化が図れる。
【０１２８】
そして、上側送風ファンユニット１０１ａ、中側送風ファンユニット１０１ｂ、及び下側送風ファンユニット１０１ｃが組み合わされ、空気吸込口１０３ａの形成されたケーシング１０５ａの下側の面板と空気吸込口１０３ｂ（図８（ｂ）参照）の形成されたケーシング１０５ｂの上側の面板が各々対向するとともに、空気吸込口１０３ｂの形成されたケーシング１０５ｂの下側の面板と空気吸込口１０３ｃ（図８（ｃ）参照）の形成されたケーシング１０５ｃの上側の面板が各々対向している。
【０１２９】
また、上側送風ファンユニット１０１ａ、中側送風ファンユニット１０１ｂ、及び下側送風ファンユニット１０１ｃのそれぞれの空気吹出口１０４ａ、空気吹出口１０４ｂ、及び空気吹出口１０４ｃが同一方向に向くように重ねられて、相互に隣接する上側送風ファンユニット１０１ａのケーシング１０５ａの下側の面板と送風ファンユニット１０１ｂのケーシング１０５ｂの上側の面板とそれぞれの風洞部１０６ａ、１０６ｂとで囲まれた空気流入路１１０が設けられ、同様に相互に隣接する中側送風ファンユニット１０１ｂのケーシング１０５ｂの下側の面板と下側送風ファンユニット１０１ｃのケーシング１０５ｃの上側の面板とそれぞれの風洞部１０６ｂ、１０６ｃとで囲まれた空気流入路１１１が設けられている。
【０１３０】
このような構成により、空気吸込側においてケーシング１０５ａ、１０５ｂ、及び１０５ｃのそれぞれの一対の面板の周部に形成された風洞部１０６ａ、１０６ｂ、及び１０６ｃの高さ相当の空気流入路１１０、１１１のそれぞれの空間が確保される。
【０１３１】
そして、相互に対向する上側送風ファンユニット１０１ａのケーシング１０５ａの下側の面板に形成された空気吸込口１０３ａ（図９（ｂ）参照）と中側送風ファンユニット１０１ｂのケーシング１０５ｂの上側の面板に形成された空気吸込口１０３ｂ（図９（ｂ）参照）とからも空気流入路１１０を通過した十分な空気が送り込まれ高風量化を実現できる。
【０１３２】
同様に、相互に対向する中側送風ファンユニット１０１ｂのケーシング１０５ｂの下側の面板に形成された空気吸込口１０３ｂ（図９（ｂ）参照）と下側送風ファンユニット１０１ｃのケーシング１０５ｃの上側の面板に形成された空気吸込口１０３ｃ（図９（ｂ）参照）とからも空気流入路１１１を通過した十分な空気が送り込まれ高風量化を実現できる。
【０１３３】
次に、さらに分かりやすく説明するために組み合わせる前の上下方向に分離した状態として、図８（ａ）は上側送風ファンユニットの斜視図を、図８（ｂ）は中側送風ファンユニットの斜視図を、図８（ｃ）は下側送風ファンユニットの斜視図を示している。
【０１３４】
ここで、図８（ｂ）で示したように風洞部１０６ｂの外壁面は、その風洞部１０６ｂの頂部から空気吸込口１０３ｂに向けて所定の傾斜角度で形成された傾斜面１０６１ｂを有している。
【０１３５】
このような構成により、中側送風ファンユニット１０１ｂの風洞部１０６ｂの頂部と上側送風ファンユニット１０１ａのケーシング１０５ａの下側の面板との間の隙間から空気流入路１１０に吸入された空気がその傾斜面１０６１ｂに沿って空気吸込口１０３ｂに直線的に流れ乱流や渦流などが発生することが防止されるので、その空気吸込口１０３ｂに空気が円滑に送り込まれ高風量化を実現できる。
【０１３６】
また、図８（ａ）では図示されない上側送風ファンユニット１０１ａの風洞部１０６ａの外壁面は、その風洞部１０６ａの頂部から空気吸込口１０３ａに向けて所定の傾斜角度で形成された傾斜面１０６１ａ（図９（ｂ）参照）を有していて、上側送風ファンユニット１０１ａの風洞部１０６ａの頂部と中側送風ファンユニット１０１ｂのケーシング１０５ｂの上側の面板との間の隙間から空気流入路１１０に吸入された空気がその傾斜面１０６１ａに沿って空気吸込口１０３ａに直線的に流れ乱流や渦流などが発生することが防止されるので、その空気吸込口１０３ａに空気が円滑に送り込まれ高風量化を実現できる。
【０１３７】
また、図８（ｃ）では図示されない下側送風ファンユニット１０１ｃの風洞部１０６ｃの外壁面は、その風洞部１０６ｃの頂部から空気吸込口１０３ｃに向けて所定の傾斜角度で形成された傾斜面１０６１ｃ（図９（ｂ）参照）を有していて、下側送風ファンユニット１０１ｃの風洞部１０６ｃの頂部と中側送風ファンユニット１０１ｂのケーシング１０５ｂの下側の面板との間の隙間から空気流入路１１１に吸入された空気がその傾斜面１０６１ｃに沿って空気吸込口１０３ｃに直線的に流れ乱流や渦流などが発生することが防止されるので、その空気吸込口１０３ｃに空気が円滑に送り込まれ高風量化を実現できる。
【０１３８】
さらに、図８（ｂ）で示したように空気吸込口１０３ｂを横断するように、その空気吸込口１０３ｂの周部の３箇所にはスポーク１０８ｂが連設されて、そのスポーク１０８ｂにより遠心ファン１０２ｂを回転駆動するモータ駆動部１０９ｂが保持されている。
【０１３９】
また、図示されない上側送風ファンユニット１０１ａや下側送風ファンユニット１０１ｃの下側の面板についても同じ構成となっているので説明は省略するが、それぞれの遠心ファン１０２ａ、１０２ｂ、１０２ｃは、相互に逆方向に回転するように駆動されることにより、相互に隣接する空気吸込口１０３ａと１０３ｂ、または空気吸込口１０３ｂと１０３ｃが相互に近接しても、それら空気吸込口１０３ａ、１０３ｂ、１０３ｃの近傍において吸い込まれる空気の流れが相互に逆方向となりキャンセルされるので、渦流化が抑制されてより効率的な空気の吸込みが実現できる。
【０１４０】
また、図９（ａ）で示したように、上側送風ファンユニット１０１ａ、中側送風ファンユニット１０１ｂ、及び下側送風ファンユニット１０１ｃのそれぞれの空気吹出口１０４ａ、空気吹出口１０４ｂ、及び空気吹出口１０４ｃが同一方向（本図では左方向）に向くように重ねられて、相互に隣接する上側送風ファンユニット１０１ａのケーシング１０５ａの下側の面板と送風ファンユニット１０１ｂのケーシング１０５ｂの上側の面板とそれぞれの風洞部１０６ａ、１０６ｂとで囲まれた空気流入路１１０が設けられ、同様に相互に隣接する中側送風ファンユニット１０１ｂのケーシング１０５ｂの下側の面板と下側送風ファンユニット１０１ｃのケーシング１０５ｃの上側の面板とそれぞれの風洞部１０６ｂ、１０６ｃとで囲まれた空気流入路１１１が設けられている。
【０１４１】
したがって、空気吸込側においてそれぞれのケーシング１０５ａ、１０５ｂ、１０５ｃの一対の面板の周部に形成された風洞部１０６ａ、１０６ｂ、１０６ｃの高さ相当の空気流入路１１０、１１１の空間が確保されるので、上側送風ファンユニット１０１ａの上側の空気吸込口１０３ａや下側送風ファンユニット１０１ｃの下側の空気吸込口１０３ｃから破線の矢印で示したように上下方向から吸い込まれる空気に加え、相互に対向する上側送風ファンユニット１０１ａの下側の面板の空気吸込口１０３ａと中側送風ファンユニット１０１ｂの上側の面板の空気吸込口１０３ｂには実線の矢印で示したように空気流入路１１０を通過した十分な空気が送り込まれ、また相互に対向する中側送風ファンユニット１０１ｂの下側の面板の空気吸込口１０３ｂと下側送風ファンユニット１０１ｃの上側の面板の空気吸込口１０３ｃには実線の矢印で示したように空気流入路１１１を通過した十分な空気が送り込まれ高風量化を実現できる。
【０１４２】
また、送風ファン装置１０１の上下方向に電子機器の筐体内壁や他の周辺装置が置かれ上側に位置する空気吸込口１０３ａまたは下側に位置する空気吸込口１０３ｃが塞がれた場合でも、ケーシング１０５ａの下側の面板とケーシング１０５ｂの上側の面板とそれぞれの風洞部１０６ａ、１０６ｂとで囲まれた空間が空気吸込み側の空気流入路１１０の空間として確保され、ケーシング１０５ｂの下側の面板とケーシング１０５ｃの上側の面板とそれぞれの風洞部１０６ｂ、１０６ｃとで囲まれた空間が空気吸込み側の空気流入路１１１の空間としてそれぞれ確保されるので、冷却性能が大きく低下することを防止できる。
【０１４３】
さらに、同一または類似の形状の送風ファンユニットを３個組み合わせる構成であることにより、単一の送風ファン装置で同一風量を得るために遠心ファン、回転軸、軸受けスリーブ、モータ、及びケーシングなどそれぞれの構成部材を単純拡大した場合と比較して、機械的な負荷が軽減するので、駆動トルクも小さくてよく、その分軸受けスリーブの機械的な寿命やモータの発熱に対する影響も軽減し、より高寿命で信頼性の高い送風ファン装置を提供できる。
【０１４４】
次に、図９（ｂ）では、相互に隣接する上側送風ファンユニット１０１ａのケーシング１０５ａと中側送風ファンユニット１０１ｂのケーシング１０５ｂとで囲まれた空気流入路１１０の領域を２点鎖線で囲んで示している。
【０１４５】
この図からも明らかなように、空気吸込口１０３ａの形成されたケーシング１０５ａの下側の面板と空気吸込口１０３ｂの形成されたケーシング１０５ｂの上側の面板が各々対向するとともに、空気吸込口１０３ｂの形成されたケーシング１０５ｂの下側の面板と空気吸込口１０３ｃの形成されたケーシング１０５ｃの上側の面板が各々対向している。
【０１４６】
また、その空気流入路１１０の高さは、ケーシング１０５ａの一対の面板の周部に形成された風洞部１０６ａの高さやケーシング１０５ｂの一対の面板の周部に形成された風洞部１０６ｂの高さに相当する高さが確保され、相互に対向する上側送風ファンユニット１０１ａの下側の面板の空気吸込口１０３ａと中側送風ファンユニット１０１ｂの上側の面板の空気吸込口１０３ｂには実線の矢印で示したように空気流入路１１０を通過した十分な空気が送り込まれ高風量化を実現できる。
【０１４７】
また、相互に隣接する中側送風ファンユニット１０１ｂのケーシング１０５ｂと下側送風ファンユニット１０１ｃのケーシング１０５ｃとで囲まれた空気流入路１１１の領域を２点鎖線で囲んで示している。
【０１４８】
その空気流入路１１１の高さは、ケーシング１０５ｂの一対の面板の周部に形成された風洞部１０６ｂの高さやケーシング１０５ｃの一対の面板の周部に形成された風洞部１０６ｃの高さに相当する高さが確保され、相互に対向する中側送風ファンユニット１０１ｂの下側の面板の空気吸込口１０３ｂと下側送風ファンユニット１０１ｃの上側の面板の空気吸込口１０３ｃには実線の矢印で示したように空気流入路１１１を通過した十分な空気が送り込まれ高風量化を実現できる。
【０１４９】
また、前述したように風洞部１０６ａの外壁面は、その風洞部１０６ａの頂部から空気吸込口１０３ａに向けて所定の傾斜角度で形成された傾斜面１０６１ａを有していて、その傾斜面１０６１ａはケーシング１０５ａの下側の面板に対してその傾斜角度が３０°〜６０°の範囲となるように設定されている。
【０１５０】
このような構成により、上側送風ファンユニット１０１ａの風洞部１０６ａの頂部と中側送風ファンユニット１０１ｂのケーシング１０５ｂの上側の面板との間の隙間から空気流入路１１０に吸入された空気がその傾斜面１０６１ａに沿って空気吸込口１０３ａに直線的に流れ乱流や渦流などが発生することが防止されるので、その空気吸込口１０３ａに空気が円滑に送り込まれ高風量化を実現できる。
【０１５１】
同様に、風洞部１０６ｂの外壁面は、その風洞部１０６ｂの頂部から空気吸込口１０３ｂに向けて所定の傾斜角度で形成された傾斜面１０６１ｂを有していて、その傾斜面１０６１ｂはケーシング１０５ｂの上側の面板に対してその傾斜角度が３０°〜６０°の範囲となるように設定されている。
【０１５２】
このような構成により、中側送風ファンユニット１０１ｂの風洞部１０６ｂの頂部と上側送風ファンユニット１０１ａのケーシング１０５ａの下側の面板との間の隙間から空気流入路１１０に吸入された空気がその傾斜面１０６１ｂに沿って空気吸込口１０３ｂに直線的に流れ乱流や渦流などが発生することが防止されるので、その空気吸込口１０３ｂに空気が円滑に送り込まれ高風量化を実現できる。
【０１５３】
同様に、風洞部１０６ｃの外壁面は、その風洞部１０６ｃの頂部から空気吸込口１０３ｃに向けて所定の傾斜角度で形成された傾斜面１０６１ｃを有していて、その傾斜面１０６１ｃはケーシング１０５ｃの下側の面板に対してその傾斜角度が３０°〜６０°の範囲となるように設定されている。
【０１５４】
このような構成により、下側送風ファンユニット１０１ｃの風洞部１０６ｃの頂部と中側送風ファンユニット１０１ｂのケーシング１０５ｂの下側の面板との間の隙間から空気流入路１１１に吸入された空気がその傾斜面１０６１ｃに沿って空気吸込口１０３ｃに直線的に流れ乱流や渦流などが発生することが防止されるので、その空気吸込口１０３ｃに空気が円滑に送り込まれ高風量化を実現できる。
【０１５５】
また、ケーシング１０５ａに収容された遠心ファン１０２ａの回転軸１０７ａは、一方に寄せられて配置され、その寄せられた方向と反対の方向に位置するようにケーシング１０５ａの一対の面板の周部に風洞部１０６ａを形成することにより、風洞部１０６ａを遠心ファン１０２ａの回転軸１０７ａ方向である高さ方向と直交する幅方向においても拡大して風路断面積を大きくできるので、より風路抵抗を小さくして空気吹出口１０４ａに空気を案内し、高風量化を実現できる。
【０１５６】
同様に、ケーシング１０５ｂに収容された遠心ファン１０２ｂの回転軸１０７ｂは、一方に寄せられて配置され、その寄せられた方向と反対の方向に位置するようにケーシング１０５ｂの一対の面板の周部に風洞部１０６ｂを形成することにより、風洞部１０６ｂを遠心ファン１０２ｂの回転軸１０７ｂ方向である高さ方向と直交する幅方向においても拡大して風路断面積を大きくできるので、より風路抵抗を小さくして空気吹出口１０４ｂに空気を案内し、高風量化を実現できる。
【０１５７】
同様に、ケーシング１０５ｃに収容された遠心ファン１０２ｃの回転軸１０７ｃは、一方に寄せられて配置され、その寄せられた方向と反対の方向に位置するようにケーシング１０５ｃの一対の面板の周部に風洞部１０６ｃを形成することにより、風洞部１０６ｃを遠心ファン１０２ｃの回転軸１０７ｃ方向である高さ方向と直交する幅方向においても拡大して風路断面積を大きくできるので、より風路抵抗を小さくして空気吹出口１０４ｃに空気を案内し、高風量化を実現できる。
【０１５８】
（実施の形態３）
図１０（ａ）は、本発明の実施の形態３における電子機器の筐体内部を示した概略図で、図１０（ｂ）は、図１０（ａ）の主要部を示した断面図である。
【０１５９】
まず、図１０（ａ）で示した電子機器２０１は、開閉型の液晶表示装置２０２が操作部を有する本体装置２０３の端部のヒンジ機構２０４に回動支持された構成のノート型ＰＣである。
【０１６０】
この図では、電子機器２０１の本体装置２０３の筐体内部に配置された回路基板２０５の下側面には、冷却されるべき発熱電子部品（図示せず）が実装されていて、その発熱電子部品と熱的に接続された複数の放熱フィン２０６が本体装置２０３の筐体側面２０３ａの側方に設置されている状態を示している。
【０１６１】
また、本発明による送風ファン装置２０７は、実施の形態１で説明した構成のものと同一で、前述した放熱フィン２０６の方向へその空気吹出口２０７５ａ、２０７５ｂが向けられ、その空気吸込側が回路基板２０５の方向へ向けられて実装されている。
【０１６２】
このように、電子機器２０１の本体装置２０３の筐体内部に送風ファン装置２０７が配置されることで、図１０（ｂ）において実線の矢印で示したように本体装置２０３の下側の空気は、本体装置２０３の筐体底面２０３ｂに設けられた複数の通気口２０８を通過して下側送風ファンユニット２０７ｂの空気吸込口２０７１ｂから吸い込まれるのと同時に、本体装置２０３の筐体内部の空気は、上側送風ファンユニット２０７ａの空気吸込口２０７１ａから吸い込まれる。
【０１６３】
一方、回路基板２０５の上下面に沿って流れてきた空気は、上側送風ファンユニット２０７ａのケーシングと下側送風ファンユニット２０７ｂのケーシングとの間のそれぞれのケーシングで囲まれた空間領域である空気流入路２０７３（２点鎖線で示した）を通過して上側送風ファンユニット２０７ａの下側の空気吸込口２０７２ａと下側送風ファンユニット２０７ｂの上側の空気吸込口２０７２ｂから吸い込まれる。
【０１６４】
そして、空気吸込口２０７１ａと空気吸込口２０７２ａとから吸い込まれた空気は、遠心ファン２０７４ａの回転運動により上側送風ファンユニット２０７ａのケーシングの内部でその遠心ファン２０７４ａの遠心方向へと風向きが変えられるので、その大部分はケーシングの内壁にぶつかりながら、その内壁に沿って遠心ファン２０７４ａの回転方向と同一の方向へ送風され、最終的に空気吹出口２０７５ａから空気が吹き出される。
【０１６５】
また、空気吸込口２０７１ｂと空気吸込口２０７２ｂとから吸い込まれた空気は、遠心ファン２０７４ｂの回転運動により下側送風ファンユニット２０７ｂのケーシングの内部でその遠心ファン２０７４ｂの遠心方向へと風向きが変えられるので、その大部分はケーシングの内壁にぶつかりながら、その内壁に沿って遠心ファン２０７４ｂの回転方向と同一の方向へ送風され、最終的に空気吹出口２０７５ｂから空気が吹き出される。
【０１６６】
このように、送風ファン装置２０７の上下方向に電子機器２０１の本体装置２０３の筐体内壁が近接して上側と下側に位置する空気吸込口２０７１ａや空気吸込口２０７１ｂが塞がれるように狭くなった場合でも、上側送風ファンユニット２０７ａと下側送風ファンユニット２０７ｂのそれぞれの面板と風洞部とで囲まれた空間が空気吸込み側の空気流入路２０７３の空間として確保されるので、冷却性能が大きく低下することを防止できる。
【０１６７】
また、送風ファン装置２０７を設置したときの空気の吸込み方向と吹出し方向が直線状となり空気の送風方向の整流性が高まり、例えば軸流ファンのような効率のよい送風を実現できる。
【０１６８】
つまり、このノートＰＣである電子機器２０１の内部に実装された超小型演算処理装置（ＭＰＵ）、チップセット、表示コントローラ、またはＨＤＤなど様々な発熱体（図示せず）を効率的に冷却するために、その電子機器２０１の内部において空気が滞留することなく所定の方向へ円滑に流して熱交換が行われている。
【０１６９】
また、高風量化に加えて送風ファン装置２０７の空気吹出口２０７５ａと２０７５ｂの全体において風量の偏りが少なくより均等な風圧分布が得られるので、送風ファン装置２０７から吹き出された空気は、そのような広範囲に均等な空気の吹き出しと風量の増大の効果が得られ放熱フィン２０６での熱交換が効率的に行われ、冷却性能の向上を実現できる。
【０１７０】
また、放熱フィン２０６に対して偏った送風が行われることに起因した放熱フィン２０６間の隙間の通風時における風切り騒音などの異音の発生も抑制できるので、より静音性の向上を実現できる。
【０１７１】
そして、複数の放熱フィン２０６間の隙間をその放熱フィン２０６と熱交換しながら通過した空気は、最終的に本体装置２０３の筐体側面２０３ａに設けられた通気口２０９を通過して外部へ排出される。
【０１７２】
つまり、前述したような送風ファン装置２０７を具備し、その送風ファン装置２０７を用いて放熱フィン２０６などの放熱体の放熱を行うことにより、放熱フィン２０６などの放熱体に対する放熱性能が向上し、より高速なクロック周波数で駆動するＭＰＵやＣＰＵなどの発熱電子部品を搭載した場合の発熱対策がより容易になるので、この電子機器２０１の高性能化を実現できる。
【０１７３】
なお、以上の実施の形態の説明において、構成要素の寸法、数量、材質、形状、その相対的な配置などは、特にそれらに限定される旨の記載がない限りは、本発明の範囲をそれらのみに限定する趣旨のものではなく、単なるひとつの実施の形態の説明に過ぎず、様々な変形が可能であって、例えば、風洞部の段数、形状、形成場所は適宜設定すればよいし、ケーシングの外形についても略円形ではなく、略三角形、略四角形、略平行四辺形、あるいはそれ以外の種々の多角形でも構わなく、空気吸込口も、上下の両方ではなくファンカバーやファンフレームのいずれか一方のみに形成してもよいし、空気吹出口も２個または３個以上設けてもよい。
【０１７４】
また、ケーシングの構成についても、単にファンカバーとファンフレームとからのみ構成されたものではなく、そのファンフレームの一部に発熱電子部品と熱的な接続を行う受熱部を設けたり、放熱性を有する放熱フィンからなるヒートシンクなどをダイカスト成型やプレス成形などによって一体的に設けたりする構成でもよいし、さらにその間の熱輸送を効率的に行うヒートパイプ、熱伝導性シートなどのような熱輸送部材を備えていてもよい。
【０１７５】
さらに、遠心ファンは、複数のブレードを有し、そのブレードの回転によって遠心方向へ空気を送風する遠心ファンであればよく、例えばシロッコファンのようにブレードが外周部のみに形成されたような形態の遠心ファンであっても構わず、その場合における回転中心軸は、ブレードの外周部で形成される仮想の外周円の中心軸に相当するものとして解釈すればよい。
【産業上の利用可能性】
【０１７６】
本発明にかかる送風ファン装置及びそれを備えた電子機器は、空気吸込側においてケーシングの一対の面板の周部に形成された風洞部の高さ相当の空気流入路の空間が確保されるので、それぞれの送風ファンユニットの相互に対向する空気吸込口からもその空気流入路を通過した十分な空気が送り込まれ高風量化を実現できるので、受熱体から放熱体までの熱輸送をヒートパイプや液体冷媒の循環などの方式により効率的に行った後、その放熱体を強制的に放熱する送風ファン装置及びそれを備えた電子機器等として有用である。
【図面の簡単な説明】
【０１７７】
【図１】本発明の実施の形態１における送風ファン装置の斜視図
【図２】（ａ）本発明の実施の形態１における送風ファン装置を構成する上側送風ファンユニットの斜視図、（ｂ）本発明の実施の形態１における送風ファン装置を構成する下側送風ファンユニットの斜視図
【図３】（ａ）本発明の実施の形態１における送風ファン装置の正面図、（ｂ）本発明の実施の形態１における送風ファン装置を構成する上側送風ファンユニットの正面図、（ｃ）本発明の実施の形態１における送風ファン装置を構成する下側送風ファンユニットの正面図
【図４】（ａ）本発明の実施の形態１における送風ファン装置の側面図、（ｂ）本発明の実施の形態１における送風ファン装置を構成する上側送風ファンユニットの側面図、（ｃ）本発明の実施の形態１における送風ファン装置を構成する下側送風ファンユニットの側面図
【図５】（ａ）図４（ａ）のＡ−Ａ矢視断面図、（ｂ）図４（ａ）のＢ−Ｂ矢視断面図
【図６】風量静圧特性の比較グラフ
【図７】本発明の実施の形態２における送風ファン装置の斜視図
【図８】（ａ）本発明の実施の形態２における送風ファン装置を構成する上側送風ファンユニットの斜視図、（ｂ）本発明の実施の形態２における送風ファン装置を構成する中側送風ファンユニットの斜視図、（ｃ）本発明の実施の形態２における送風ファン装置の下側送風ファンユニットの斜視図
【図９】（ａ）本発明の実施の形態２における送風ファン装置の側面図、（ｂ）図９（ａ）のＣ−Ｃ矢視断面図
【図１０】（ａ）本発明の実施の形態３における電子機器の筐体内部を示した概略図、（ｂ）図１０（ａ）の主要部を示した断面図
【図１１】（ａ）従来の技術における送風ファン装置が具備する送風ファンの単体の斜視図、（ｂ）従来の技術における送風ファン装置の全体の斜視図
【符号の説明】
【０１７８】
１，１０１，２０７    送風ファン装置
１ａ，１０１ａ，２０７ａ    上側送風ファンユニット
１ｂ，１０１ｃ，２０７ｂ    下側送風ファンユニット
２ａ，２ｂ，１０５ａ，１０５ｂ，１０５ｃ    ケーシング
３ａ，３ｂ，６ａ，６ｂ，１０３ａ，１０３ｂ，１０３ｃ，２０７１ｂ，２０７２ｂ      空気吸込口
４ａ，４ｂ，１０２ａ，１０２ｂ，１０２ｃ，２０７４ａ，２０７４ｂ    遠心ファン
７ａ，７ｂ    モータ駆動部
８，１１０，１１１，２０７３    空気流入路
２１ａ，２１ｂ    ファンカバー
２２ａ，２２ｂ    ファンフレーム
２３ａ，２３ｂ    面板
２４ａ    凸部
２５ａ，２５ｂ    ブラケット
２６ｂ    スポーク
４１ａ    ハブ部
４２ａ    ブレード
４３ａ，４３ｂ，１０７ａ，１０７ｂ，１０７ｃ    回転軸
５１ａ，５１ｂ，１０６ａ，１０６ｂ，１０６ｃ    風洞部
５１１ａ，５１１ｎ    差面
５１１ｃ，５１１ｂ，５１２ｂ，５１３ｂ    段差面
５２１ａ，５２２ａ，５２３ａ，５２１ｂ，５２２ｂ，５２３ｂ，１０６１ａ，１０６１ｂ，１０６１ｃ    傾斜面
７１ａ，７１ｂ    リード線
１０１ｂ    中側送風ファンユニット
１０４ａ，１０４ｂ，１０４ｃ，２０７５ａ，２０７５ｂ    空気吹出口
２０１    電子機器
２０２    液晶表示装置
２０３    本体装置
２０３ａ，２０３ｂ    筐体底面
２０４    ヒンジ機構
２０５    回路基板
２０６    放熱フィン
２０８，２０９    通気口
Ｈｆａ，Ｈｆｂ    風洞部の高さ
Ｈｆｉａ，Ｈｆｉｂ    風洞部の内高さ
Ｈａ，Ｈｂ    ケーシングの内高さ
Ｈ８    空気流入路の高さ
Ｒ    遠心ファンの回転方向
Ｗｆａ，Ｗｆｂ    風洞部の吹出口の幅
Ｗｔａ，Ｗｔｂ    空気吹出口の全幅
θ１，θ２    傾斜角
【図１】
2008053574.tif 000003
【図２】
2008053574.tif 000004
【図３】
2008053574.tif 000005
【図４】
2008053574.tif 000006
【図５】
2008053574.tif 000007
【図６】
2008053574.tif 000008
【図７】
2008053574.tif 000009
【図８】
2008053574.tif 000010
【図９】
2008053574.tif 000011
【図１０】
2008053574.tif 000012
【図１１】
2008053574.tif 000013